(57)【要約】      （修正有）【課題】園芸用支柱を地表に立てる際、地面が硬い場合や地中に小石などが存在している場合でも、支柱を地中に突き立てることなくまた別途杭打ちを行うことなく簡易にかつ安定的に支柱を立てることができる低コストの園芸用支柱受具を提供する。【解決手段】内径が園芸用支柱の外径よりやや大きな円筒中空状の支柱受用パイプ２の一端を扁平円筒形状部となし、扁平円筒形状部の内面中空部に挿入可能な外径で支柱受用パイプ２の長さとほぼ同じ長さでその先端が尖った棒状杭３を、支柱受用パイプ２の軸心方向に扁平円筒形状部の中央内面奥まで挿入した状態で扁平円筒形状部に固着したことを特徴とする。【選択図】図４
0003202387.tif 000002
【実用新案登録請求の範囲】
【請求項１】
内径が園芸用支柱の外径よりやや大きな円筒中空状の支柱受用パイプの一端を扁平円筒形状部となし、前記扁平円筒形状部の内面中空部に挿入可能な外径で前記支柱受用パイプの長さとほぼ同じ長さでその先端が尖った棒状杭を、前記支柱受用パイプの軸心方向に前記扁平円筒形状部の中央内面奥まで挿入した状態で前記扁平円筒形状部に固着したことを特徴とする園芸用支柱受具。
【請求項２】
前記支柱受用パイプの円筒形状部外周面の任意の箇所に、先端に園芸用支柱の外周面支持部材を有する倒れ防止金具を、前記支柱受用パイプ軸心方向上方に設けたことを特徴とする請求項１記載の園芸用支柱受具。
【考案の詳細な説明】
【技術分野】
【０００１】  本考案は、土壌に植えた植物の生育時に地表に立てる園芸用の支柱受具に関する。
【背景技術】
【０００２】  従来、園芸用支柱を地表に立てる場合には、前記支柱を直接地中に突き立てたり、この突き立てが難しい場合には予め地中に打ち込んだ木製などの杭に前記支柱を結束していた。
【先行技術文献】
【特許文献】
【０００３】
【特許文献１】  特開２０１０−０００００８号  公報
【考案の概要】
【考案が解決しようとする課題】
【０００４】  園芸用支柱を直接地中に突き立てる際、地面が硬い場合や地中に小石などが存在している場合には多大の労力が必要となり作業性が悪く、また前記支柱が小径の場合は折れたり曲がったりすることがあった。
さらに、木製などの杭を打ち込む場合でも多大の手間と労力が必要で、この杭に前記支柱を結束する手間もかかっていた。【０００５】  そこで、これまでに例えば特許文献１に開示されているような園芸用支柱を立てる補助用具が開発され市販されているが、この発明の場合、地表の設置スペースを多く要することや構成部材が多いことで製作コスト面に課題があった。【０００６】  また、上記以外でも、園芸用支柱の外径よりやや大きな円筒状パイプの一端に盲蓋を固着し、この盲蓋の外側中央に前記円筒状パイプ外径の５分の１程度の外径で前記円筒状パイプとほぼ同じ長さでその先端が尖った棒状杭を前記円筒状パイプの軸心方向に固着し前記盲蓋側の任意の箇所に１以上の水抜き穴を設けたものが考案されているが、これも同様に製作工程が多く手間がかかり製作コスト面で課題があった。
本考案は、上記課題を解決することを目的としている。
【課題を解決するための手段】
【０００７】  請求項１に係る考案は、内径が園芸用支柱の外径よりやや大きな円筒中空状の支柱受用パイプの一端を扁平円筒形状部となし、前記扁平円筒形状部の内面中空部に挿入可能な外径で前記支柱受用パイプの長さとほぼ同じ長さでその先端が尖った棒状杭を、前記支柱受用パイプの軸心方向に前記扁平円筒形状部の中央内面奥まで挿入した状態で前記扁平円筒形状部に固着したことを特徴としている。【０００８】  請求項２に係る考案は、前記支柱受用パイプの円筒形状部外周面の任意の箇所に、先端に園芸用支柱の外周面支持部材を有する倒れ防止金具を、前記支柱受用パイプ軸心方向上方に設けたことを特徴としている。
【考案の効果】
【０００９】  請求項１に係る考案によれば、園芸用支柱を地中に突き立てることなく、予め少力で地表に固定した園芸用支柱受具の支柱受用パイプ内径部に園芸用支柱の一端を差し込むだけで良く、結束作業も不要なため作業性良くかつ安定的に園芸用支柱を地表に立てることができる。また、前記支柱受用パイプの扁平円筒形状部の内面中空部はそのまま水抜き穴として利用できるため、別途水抜き穴を設ける必要がない。【００１０】  請求項２に係る考案によれば、前記支柱受用パイプに使用する材料は一般にＪＩＳ規格の鋼管が用いられることが多いが、前記鋼管は規格品のため使用内径が限定され、この内径に比べて園芸用支柱の外径がかなり小さいケースが生じることがあり、この場合に園芸用支柱の外周面を前記支柱受用パイプの内壁に加えて倒れ防止金具に備えている園芸用支柱の外周面支持部材で支えることで、園芸用支柱を支柱受用パイプの内壁に沿って垂直に立てることができる。【００１１】  上記いずれの考案も、シンプルな構成のためコスト削減が図れ、さらにメンテナンス面でも有利である。
【図面の簡単な説明】
【００１２】
【図１】  本考案に係る園芸用支柱受具の正面図である。
【図２】  本考案に係る園芸用支柱受具の右側面図である。
【図３】  本考案に係る園芸用支柱受具の底面図である。
【図４】  請求項１に係る園芸用支柱受具の斜視図である。
【図５】  請求項２に係る園芸用支柱受具の斜視図である。
【考案を実施するための形態】
【００１３】  以下、本考案に係る園芸用支柱受具の一実施の形態について、図１乃至図５に基づいて説明する。
園芸用支柱受具１は、円筒中空状の支柱受用パイプ２、及び棒状杭３より構成されており、支柱受用パイプ２の一端は扁平円筒形状部２ａが形成され、この扁平円筒形状部２ａの内側に棒状杭３が取り付けられている。棒状杭３の先端部３ａは尖った形状をしており、棒状杭３を地中に差し込みやすくしている。扁平円筒形状部２ａの支柱受用パイプ２の長手方向の範囲Ｌは、支柱受用パイプ２の外径の１乃至３倍の長さが良い。また、扁平円筒形状部２ａの内部空間部は水抜き穴４としての機能を有している。
【００１４】  園芸用支柱受具１の構成部材の材質を全て鋼又は鉄製とした場合は、支柱受用パイプ２の扁平円筒形状部２ａは金型プレス加工により成形し、その後、棒状杭３を圧着溶接などで固着することができるため量産が可能で低コストで製作することができる。また支柱受用パイプ２を樹脂製とする場合は、扁平円筒形状部２ａは型を用いた成形により容易に量産成形することができる。支柱受用パイプ２及び棒状杭３の長さは、それぞれ通常２０〜４０ｃｍ程度で両者ともほぼ同じ長さの構成とすれば効果的に作業性良く使用できる。
また、園芸用支柱の外径に応じて数種類のものを用意しておけば利便性が高まる。
【００１５】  この園芸用支柱受具１の使用方法は、先ず、支柱受用パイプ２を手で持ち、支柱を立てる位置の地面に扁平円筒形状部２ａが地表に接するまで差し込み、次に園芸用支柱５の一端を支柱受用パイプ２の内径部の奥まで差し込めばよい。
【００１６】  また、支柱受用パイプ２の内径に比べ園芸用支柱５の外径がかなり小さい場合には請求項２に記載したように、支柱受用パイプ２の円筒形状部２ｂの外周面に支柱受用パイプ２の軸心方向に先端に支柱外周面支持部材６ａを有する倒れ防止金具６を設けることにより園芸用支柱５を支柱受用パイプ２の内壁に沿って垂直に立てることができる。
【符号の説明】
【００１７】１    園芸用支柱受具
２    支柱受用パイプ
２ａ  扁平円筒形状部
２ｂ  円筒形状部
３    棒状杭
３ａ  棒状杭先端部
４    水抜き穴
５    園芸用支柱
６    倒れ防止金具
６ａ  支柱外周面支持部材
Ｌ    扁平円筒形状部の範囲
【図１】
0003202387.tif 000003
【図２】
0003202387.tif 000004
【図３】
0003202387.tif 000005
【図４】
0003202387.tif 000006
【図５】
0003202387.tif 000007